(57)【特許請求の範囲】
【請求項１】
情報処理装置であって、
制御部を有し、
前記制御部は、
健康保険被保険者証の画像データから前記健康保険被保険者証のデータを取得し、
取得した前記健康保険被保険者証のデータに基づき第１の医療機関が前記健康保険被保険者証の被保険者の健康診断に対応する医療機関か否かを判定し、
前記第１の医療機関は、前記健康保険被保険者証のユーザーが健康診断に訪れた医療機関であり、
前記被保険者の健康診断に対応する医療機関でないと判定した場合、前記第１の医療機関から所定範囲内で前記被保険者の健康診断に対応する第２の医療機関の情報を出力する、
情報処理装置。
【請求項２】
請求項１に記載の情報処理装置において、
前記第２の医療機関の情報には、前記第１の医療機関から前記第２の医療機関までの行き方に関する地図情報が含まれる、
情報処理装置。
【請求項３】
請求項１又は請求項２に記載の情報処理装置において、
前記制御部は、前記情報処理装置の表示部に所定の画面を表示し、
前記所定の画面には、領域が含まれ、
前記領域に、前記健康保険被保険者証の画像データが移動される操作が行われたことに基づき、前記制御部は、前記画像データから前記健康保険被保険者証のデータを取得する、
情報処理装置。
【請求項４】
請求項１から請求項３までの何れか１項に記載の情報処理装置において、
前記制御部は、前記被保険者の健康診断に対応する医療機関であると判定した場合、前記制御部は、取得した前記健康保険被保険者証のデータに基づき健康診断に関する画面を出力する、
情報処理装置。
【請求項５】
請求項１から請求項４までの何れか１項に記載の情報処理装置において、
前記情報処理装置は、医療機関の受付装置である、
情報処理装置。
【請求項６】
情報処理装置であって、
制御部を有し、
前記制御部は、
ＩＣカードとの通信に基づき前記ＩＣカードのユーザーの健康保険被保険者証に関するデータを取得し、
取得した前記健康保険被保険者証に関するデータに基づき第１の医療機関が前記健康保険被保険者証の被保険者の健康診断に対応する医療機関か否かを判定し、
前記第１の医療機関は、前記健康保険被保険者証のユーザーが健康診断に訪れた医療機関であり、
前記被保険者の健康診断に対応する医療機関でないと判定した場合、前記第１の医療機関から所定範囲内で前記被保険者の健康診断に対応する第２の医療機関の情報を出力する、
情報処理装置。
【請求項７】
情報処理装置が実行する情報処理方法であって、
健康保険被保険者証の画像データから前記健康保険被保険者証のデータを取得し、
取得した前記健康保険被保険者証のデータに基づき第１の医療機関が前記健康保険被保険者証の被保険者の健康診断に対応する医療機関か否かを判定し、
前記第１の医療機関は、前記健康保険被保険者証のユーザーが健康診断に訪れた医療機関であり、
前記被保険者の健康診断に対応する医療機関でないと判定した場合、前記第１の医療機関から所定範囲内で前記被保険者の健康診断に対応する第２の医療機関の情報を出力する、
情報処理方法。
【請求項８】
情報処理装置が実行する情報処理方法であって、
ＩＣカードとの通信に基づき前記ＩＣカードのユーザーの健康保険被保険者証に関するデータを取得し、
取得した前記健康保険被保険者証に関するデータに基づき第１の医療機関が前記健康保険被保険者証の被保険者の健康診断に対応する医療機関か否かを判定し、
前記第１の医療機関は、前記健康保険被保険者証のユーザーが健康診断に訪れた医療機関であり、
前記被保険者の健康診断に対応する医療機関でないと判定した場合、前記第１の医療機関から所定範囲内で前記被保険者の健康診断に対応する第２の医療機関の情報を出力する、
情報処理方法。
【請求項９】
プログラムであって、コンピュータを、請求項１から請求項６までの何れか１項に記載の情報処理装置の制御部として機能させるためのプログラム。
【発明の詳細な説明】
【技術分野】
【０００１】
本発明は、情報処理装置、情報処理方法及びプログラムに関する。
【背景技術】
【０００２】
健康診断を行っている医療機関がある。
特許文献１には、複数の健診者の健診データを健診項目ごとにまとめて容易に確認することが可能な健康診断システムが開示されている。
【先行技術文献】
【特許文献】
【０００３】
【特許文献１】特開２０１８−１２４９９３号公報
【発明の概要】
【発明が解決しようとする課題】
【０００４】
医療機関では、特定の被用者保険の健康診断を行う。より具体的に説明すると、ある医療機関は、協会けんぽの加入者の健康診断は行うが、共済組合の健康診断は行わない等である。大きな医療機関であれば、多くの人が健康診断に訪れる。医療機関の職員にとって、健康診断に訪れた人が、医療機関が対応している被用者保険の組合員であるか否かを確認するのは大変な手間である。
【課題を解決するための手段】
【０００５】
本発明の一態様によれば、情報処理装置が提供される。この情報処理装置は、制御部を有する。制御部は、健康保険被保険者証の画像データから健康保険被保険者証のデータを取得する。取得した健康保険被保険者証のデータに基づき第１の医療機関が健康保険被保険者証の被保険者の健康診断に対応する医療機関か否かを判定する。第１の医療機関は、健康保険被保険者証のユーザーが健康診断に訪れた医療機関である。被保険者の健康診断に対応する医療機関でないと判定した場合、第１の医療機関から所定範囲内で被保険者の健康診断に対応する第２の医療機関の情報を出力する。
【図面の簡単な説明】
【０００６】
【図１】図１は、情報処理システムのシステム構成の一例を示す図である。
【図２】図２は、サーバー装置のハードウェア構成の一例を示す図である。
【図３】図３は、クライアント装置のハードウェア構成の一例を示す図である。
【図４】図４は、クライアント装置の機能構成の一例を示す図である。
【図５】図５は、クライアント装置における情報処理の一例を示すアクティビティ図である。
【図６】図６は、受付画面の一例を示す図である。
【図７】図７は、健康診断に関する画面の一例を示す図である。
【図８】図８は、医療機関から所定範囲内で被保険者の健康診断に対応している１以上の医療機関の情報を含む画面の一例を示す図である。
【図９】図９は、変形例１の情報処理システムの一例を示す図である。
【図１０】図１０は、受付装置のハードウェア構成の一例を示す図である。
【図１１】図１１は、受付装置の受付画面の一例を示す図である。
【図１２】図１２は、受付装置の画面の一例を示す図である。
【図１３】図１３は、変形例４の受付装置のハードウェア構成の一例を示す図である。
【発明を実施するための形態】
【０００７】
以下、図面を用いて本発明の実施形態について説明する。以下に示す実施形態中で示した各種特徴事項は、互いに組み合わせ可能である。
【０００８】
本明細書において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、０又は１で構成される２進数のビット集合体として信号値の高低によって表され、広義の回路上で通信・演算が実行されうる。
【０００９】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１０】
＜実施形態１＞
１．システム構成
図１は、情報処理システム１０００のシステム構成の一例を示す図である。図１に示されるように、情報処理システム１０００は、システム構成として、サーバー装置１００と、クライアント装置１１０と、を含む。クライアント装置１１０は、例えば、医療機関の受け付け等に設置されている情報処理装置（例えば、ＰＣ（Ｐｅｒｓｏｎａｌ  Ｃｏｍｐｕｔｅｒ））である。クライアント装置１１０が設置されている医療機関は、第１の医療機関の一例である。サーバー装置１００と、クライアント装置１１０と、ネットワーク１５０を介して通信可能に接続されている。医療機関とは、例えば、病院、診療所等、医療を提供する施設である。
【００１１】
図１では、説明の簡略化のため、情報処理システム１０００において、クライアント装置１１０は１台しか図示していないが、複数台、情報処理システム１０００に含まれてもよい。クライアント装置１１０は、ＰＣに限られず、タブレット型コンピュータ等であってもよい。本実施形態においてサーバー装置１００は、クライアント装置１１０に対して、本実施形態の処理に係るプログラムを提供する。クライアント装置１１０は、情報処理装置の一例である。
【００１２】
２．ハードウェア構成
（１）サーバー装置１００のハードウェア構成
図２は、サーバー装置１００のハードウェア構成の一例を示す図である。サーバー装置１００は、ハードウェア構成として、制御部２０１と、記憶部２０２と、通信部２０３と、を含む。制御部２０１は、ＣＰＵ（Ｃｅｎｔｒａｌ  Ｐｒｏｃｅｓｓｉｎｇ  Ｕｎｉｔ）等であって、サーバー装置１００の全体を制御する。記憶部２０２は、ＨＤＤ（Ｈａｒｄ  Ｄｉｓｋ  Ｄｒｉｖｅ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等であって、プログラム及び制御部２０１がプログラムに基づき処理を実行する際に利用するデータ等を記憶する。制御部２０１が、記憶部２０２に記憶されているプログラムに基づき、処理を実行することによって、サーバー装置１００の機能等が実現される。通信部２０３は、ＮＩＣ（Ｎｅｔｗｏｒｋ  Ｉｎｔｅｒｆａｃｅ  Ｃａｒｄ）等であって、サーバー装置１００をネットワーク１５０に接続し、他の装置（例えば、クライアント装置１１０等）との通信を司る。
【００１３】
（２）クライアント装置１１０のハードウェア構成
図３は、クライアント装置１１０のハードウェア構成の一例を示す図である。クライアント装置１１０は、ハードウェア構成として、制御部３０１と、記憶部３０２と、撮像部３０３と、入力部３０４と、出力部３０５と、通信部３０６と、を含む。制御部３０１は、ＣＰＵ等であって、クライアント装置１１０の全体を制御する。記憶部３０２は、ＨＤＤ、ＲＯＭ、ＲＡＭ等であって、プログラム、制御部３０１がプログラムに基づき処理を実行する際に利用するデータ等を記憶する。例えば、記憶部３０２には、地図情報とともに、クライアント装置１１０が設置されている医療機関近くの他の医療機関の情報、その他の医療機関がどの保険者の健康診断に対応しているかの情報等が記憶されている。上述したように、プログラムは、サーバー装置１００からクライアント装置１１０にダウンロードされる。制御部３０１が、記憶部３０２に記憶されているプログラムに基づき、処理を実行することによって、後述する図４に示すクライアント装置１１０の機能構成及び後述する図５に示すアクティビティ図の処理が実現される。撮像部３０３は、カメラ等であって、被写体を撮像する。本実施の形態の例では、クライアント装置１１０の操作者である医療機関の受け付けの担当者は、医療機関を訪れた人から健康保険被保険者証を預かり、撮像部３０３にかざして健康保険被保険者証を撮像し、クライアント装置１１０に取り込む。後述する健康保険被保険者証の画像データは、撮像部３０３によって生成され、制御部３０１に送信される。入力部３０４は、例えば、マウス、キーボード等であって、ユーザー操作に応じて情報を制御部３０１に入力する。出力部３０５は、例えば、ディスプレイ等であって、制御部３０１による処理の結果等を出力する。通信部３０６は、クライアント装置１１０をネットワーク１５０に接続し、他の装置（例えば、サーバー装置１００）との通信を司る。記憶部３０２は、記憶媒体の一例である。
【００１４】
３．機能構成
図４は、クライアント装置１１０の機能構成の一例を示す図である。図４に示されるように、クライアント装置１１０は、機能構成として、取得部４０１と、表示制御部４０２と、を含む。
【００１５】
（取得部４０１）
取得部４０１は、健康保険被保険者証の画像データから健康保険被保険者証のデータを取得する。より具体的に説明すると、取得部４０１は、健康保険被保険者証の画像データを解析し、健康保険被保険者証のデータを取得する。健康保険被保険者証のデータとしては、例えば、被保険者の氏名、生年月日、性別、資格取得年月日、記号、番号、保険者番号、保険者名称等がある。
【００１６】
（表示制御部４０２）
表示制御部４０２は、取得部４０１によって取得された健康保険被保険者証のデータと、記憶部３０２等に記憶されているクライアント装置１１０が設置されている医療機関が健康診断に対応している保険者名称等のデータと、に基づき、クライアント装置１１０が設置されている医療機関が健康保険被保険者証の被保険者の健康診断に対応する医療機関か否かを判定する。クライアント装置１１０が設置されている医療機関とは、健康保険被保険者証のユーザーが健康診断に訪れた医療機関である。被保険者の健康診断に対応する医療機関であると判定した場合、表示制御部４０２は、取得した健康保険被保険者証のデータに基づき健康診断に関する画面を出力する。被保険者の健康診断に対応する医療機関でないと判定した場合、表示制御部４０２は、クライアント装置１１０が設置されている医療機関から所定範囲内で被保険者の健康診断に対応している１以上の医療機関の情報を出力する。ここで、表示制御部４０２は、健康保険被保険者証のデータより、クライアント装置１１０が設置されている医療機関に過去通院したことがあるユーザーであり、自宅の住所のデータを有している場合には、クライアント装置１１０が設置されている医療機関から所定範囲内で被保険者の健康診断に対応している１以上の医療機関の情報を出力すると共に、ユーザーの自宅から所定範囲内の、ユーザーである被保険者の健康診断に対応する１以上の医療機関の情報を出力するようにしてもよい。
【００１７】
４．情報処理
図５は、クライアント装置１１０における情報処理の一例を示すアクティビティ図である。
Ａ５０１において、表示制御部４０２は、撮像部３０３より健康保険被保険者証の画像データを受信したか否かを判定する。表示制御部４０２は、撮像部３０３より健康保険被保険者証の画像データを受信したと判定売ると、処理をＡ５０２に進める。表示制御部４０２は、撮像部３０３より健康保険被保険者証の画像データを受信していないと判定すると、Ａ５０１の処理を繰り返す。
Ａ５０２において、表示制御部４０２は、取得部４０１によって取得された健康保険被保険者証の画像データを含む、後述する図６に示すような画面を生成し、クライアント装置１１０の出力部３０５に出力する。
【００１８】
図６は、受付画面６００の一例を示す図である。図６に示されるように受付画面６００には、健康保険被保険者証の画像データ６１０と、チェック領域６２０と、が含まれる。
Ａ５０３において、表示制御部４０２は、受付画面６００において、所定の操作、すなわち、健康保険被保険者証の画像データ６１０が選択されて、チェック領域６２０に移動される操作、が行われたか否かを判定する。表示制御部４０２は、所定の操作が行われたと判定した場合、処理をＡ５０４に進める。表示制御部４０２は、所定の操作が行われなかったと判定した場合、処理をＡ５０２に戻す。
【００１９】
Ａ５０４において、取得部４０１は、健康保険被保険者証の画像データを解析し、健康保険被保険者証のデータを取得する。上述したように、健康保険被保険者証のデータとしては、例えば、被保険者の氏名、生年月日、性別、資格取得年月日、記号、番号、保険者番号、保険者名称等が含まれる。
Ａ５０５において、表示制御部４０２は、取得部４０１によって取得された健康保険被保険者証のデータと、記憶部３０２等に記憶されているクライアント装置１１０が設置されている医療機関が健康診断に対応している保険者名称等のデータと、に基づき、クライアント装置１１０が設置されている医療機関が健康保険被保険者証の被保険者の健康診断に対応する医療機関か否かを判定する。表示制御部４０２は、健康診断に対応する医療機関であると判定すると、処理をＡ５０６に進める。表示制御部４０２は、健康診断に対応していない医療機関であると判定すると、処理をＡ５０７に進める。
【００２０】
Ａ５０６において、表示制御部４０２は、取得された健康保険被保険者証のデータに基づき健康診断に関する画面を出力する。
図７は、健康診断に関する画面７００の一例を示す図である。
図７の例では、健康診断に関する画面７００では、保険者の健康診断に対応している医療機関であることや、健康診断の情報入力画面に移行する場合に選択されるボタン７１０等が含まれる。ボタン７１０が選択されると、表示制御部４０２は、取得された健康保険被保険者証のデータに基づき、例えば、被保険者の氏名、生年月日、性別、記号、番号、保険者番号等が入力された、健康診断の情報入力画面を出力部３０５に表示する。
なお、健康診断に関する画面の例としては、図７に示されるような画面ではなく、ボタン７１０が選択された際に表示されるような健康診断の情報入力画面であってもよい。
【００２１】
Ａ５０７において、表示制御部４０２は、クライアント装置１１０が設置されている医療機関から所定範囲内で被保険者の健康診断に対応している１以上の医療機関の情報を出力する。
図８は、医療機関から所定範囲内で被保険者の健康診断に対応している１以上の医療機関の情報を含む画面８００の一例を示す図である。
図８の例では、画面８００には、現在地である、クライアント装置１１０が設置されている医療機関から所定範囲内で被保険者の健康診断に対応している３つの医療機関（ＡＡ医療機関、ＢＢ医療機関、ＣＣ医療機関）の情報が出力されている。また、画面８００には、クライアント装置１１０が設置されている医療機関から３つの医療機関（ＡＡ医療機関、ＢＢ医療機関、ＣＣ医療機関）までの行き方に関する地図情報が含まれている。
【００２２】
本実施形態の処理によれば、医療機関の窓口業務に携わる職員等は、健康診断に訪れた人が、医療機関が対応している被用者保険の組合員であるか否かをすぐに確認し、対応することができる。また、健康診断に訪れた人が、医療機関が対応していない被用者保険の組合員である場合は、近くの対応している医療機関を案内することができる。
【００２３】
＜変形例１＞
実施形態１の変形例を説明する。実施形態１では、クライアント装置１１０が主に処理を実行した。しかし、医療機関の入り口付近に設置されている受付装置１２０が実施形態１で示したような処理を実行するようにしてもよい。変形例１の場合、受付装置１２０は、情報処理装置の一例である。ここで、受付装置１２０は、医療機関の入り口付近に設置され、受け付けの一部の処理を代行する装置であり、例えば、ユーザーが予約を行っている場合は、受付番号、患者番号、氏名、予約されている診療科の名前、予約時間、診療科の場所情報等を記載した紙等を出力する装置である。
図９は、変形例１の情報処理システム１０００の一例を示す図である。変形例１の情報処理システム１０００は、サーバー装置１００と、クライアント装置１１０と、受付装置１２０と、を含む。サーバー装置１００と、クライアント装置１１０と、受付装置１２０と、はネットワーク１５０を介して通信可能に接続されている。受付装置１２０は、医療機関の入り口付近に設置されている受付装置である。変形例１では、医療機関を訪れたユーザーは、受付装置１２０に健康保険被保険者証を翳す。すると、受付装置１２０によって健康保険被保険者証が撮像され、実施形態１に示したような処理が実行される。そして、実行結果に基づいて、受付装置１２０に図７、図８に示したような画面が表示される。
【００２４】
図１０は、受付装置１２０のハードウェア構成の一例を示す図である。受付装置１２０は、ハードウェア構成として、制御部１００１と、記憶部１００２と、撮像部１００３と、入力部１００４と、出力部１００５と、通信部１００６と、を含む。制御部１００１は、ＣＰＵ等であって、受付装置１２０の全体を制御する。記憶部１００２は、ＨＤＤ、ＲＯＭ、ＲＡＭ等であって、プログラム、制御部１００１がプログラムに基づき処理を実行する際に利用するデータ等を記憶する。変形例１のプログラムは、サーバー装置１００から受付装置１２０にダウンロードされる。制御部１００１が、記憶部１００２に記憶されているプログラムに基づき、処理を実行することによって、受付装置１２０の機能構成等が実現される。受付装置１２０の機能構成は、図４に示した機能構成とほぼ同様である。撮像部１００３は、カメラ等であって、被写体を撮像する。変形例１の例では、医療機関を訪れたユーザーが所定の位置で健康保険被保険者証を撮像部１００３に翳す。すると、撮像部１００３が健康保険被保険者証を撮像し、受付装置１２０に取り込む。健康保険被保険者証の画像データは、撮像部１００３によって生成され、制御部１００１に送信される。入力部１００４は、例えば、ボタン等であって、ユーザー操作に応じて情報を制御部１００１に入力する。出力部１００５は、例えば、ディスプレイ等であって、制御部１００１による処理の結果等を出力する。通信部１００６は、受付装置１２０をネットワーク１５０に接続し、他の装置（例えば、サーバー装置１００）との通信を司る。記憶部１００２は、記憶媒体の一例である。
【００２５】
受付装置１２０の出力部１００５には、図１１に示されるような画面が表示されている。図１１は、受付装置１２０の受付画面１１００の一例を示す図である。受付画面１１００には、診察ボタン１１１０と、健康診断ボタン１１２０と、が含まれている。ユーザーが健康診断ボタン１１２０を選択したことを検知すると、変形例１の表示制御部４０２は、受付装置１２０の出力部１００５に図１２に示されるような画面を表示する。図１２は、受付装置１２０の画面１２００の一例を示す図である。ユーザーは、画面を確認すると、自身の健康保険被保険者証を受付装置１２０の撮像部１００３の前に翳す。撮像部１００３は、健康保険被保険者証が所定の位置に翳されると、健康保険被保険者証を撮像する。
【００２６】
変形例１の取得部４０１は、撮像部１００３より健康保険被保険者証の画像データを受け取ると、健康保険被保険者証の画像データを解析し、健康保険被保険者証のデータを取得する。表示制御部４０２は、取得部４０１によって取得された健康保険被保険者証のデータと、記憶部１００２等に記憶されている受付装置１２０が設置されている医療機関が健康診断に対応している保険者名称等のデータと、に基づき、受付装置１２０が設置されている医療機関が健康保険被保険者証の被保険者の健康診断に対応する医療機関か否かを判定する。受付装置１２０が設置されている医療機関とは、健康保険被保険者証のユーザーが健康診断に訪れた医療機関である。被保険者の健康診断に対応する医療機関であると判定した場合、表示制御部４０２は、出力部１００５に健康診断を受けることができる旨等を表示する。また、表示制御部４０２は、医療機関の窓口のＰＣ等に健康保険被保険者証のデータ等を送信するようにしてもよい。被保険者の健康診断に対応する医療機関でないと判定した場合、表示制御部４０２は、受付装置１２０が設置されている医療機関から所定範囲内で被保険者の健康診断に対応している１以上の医療機関の情報を含む画面等を受付装置１２０の出力部１００５に出力する。
【００２７】
変形例１によれば、医療機関を訪れたユーザーは、健康保険被保険者証を受付装置１２０に翳すだけで、訪れた医療機関で健康診断を受けることが可能か否か理解することができる。健康診断に訪れた人が、医療機関が対応していない被用者保険の組合員である場合は、近くの対応している医療機関を直接、ユーザーに案内することができる。
【００２８】
＜変形例３＞
実施形態１の変形例を説明する。実施形態１では、クライアント装置１１０が実施形態に関する処理を行うものとして説明を行った。しかしながら、実施形態１で説明したような機能及び処理を、サーバー装置１００が実行するようにしてもよい。変形例３の場合、サーバー装置１００は、情報処理装置の一例である。
【００２９】
＜変形例４＞
変形例１の変形例を説明する。変形例１等では、健康保険被保険者証を例に説明を行った。しかし、健康保険被保険者証としてマイナンバーカードを用いるようにしてもよい。マイナンバーカードの集積回路には、マイナンバーカードのユーザーを識別する識別情報、ユーザーの健康保険被保険者証に関するデータ等が記憶されている。マイナンバーカードは、ＩＣカードの一例である。
【００３０】
図１３は、変形例４の受付装置１２０のハードウェア構成の一例を示す図である。受付装置１２０は、ハードウェア構成として、制御部１３０１と、記憶部１３０２と、撮像部１３０３と、入力部１３０４と、読み取り部１３０５と、出力部１３０６と、通信部１３０７と、を含む。制御部１３０１は、ＣＰＵ等であって、受付装置１２０の全体を制御する。記憶部１３０２は、ＨＤＤ、ＲＯＭ、ＲＡＭ等であって、プログラム、制御部１３０１がプログラムに基づき処理を実行する際に利用するデータ等を記憶する。変形例４のプログラムは、サーバー装置１３０から受付装置１２０にダウンロードされる。制御部１３０１が、記憶部１３０２に記憶されているプログラムに基づき、処理を実行することによって、受付装置１２０の機能構成等が実現される。受付装置１２０の機能構成は、図４に示した機能構成とほぼ同様である。撮像部１３０３は、カメラ等であって、被写体を撮像する。医療機関を訪れたユーザーが健康保険被保険者証を翳して健康保険被保険者証を撮像し、受付装置１２０に取り込む。健康保険被保険者証の画像データは、撮像部１３０３によって生成され、制御部１３０１に送信される。入力部１３０４は、例えば、ボタン等であって、ユーザー操作に応じて情報を制御部１３０１に入力する。読み取り部１３０５は、読み取り部１３０５に対して翳されたマイナンバーカードと無線通信を行い、マイナンバーカードのＩＣに書き込まれた情報を受信し、制御部１３０１に送信する。出力部１３０６は、例えば、ディスプレイ等であって、制御部１３０１による処理の結果等を出力する。通信部１３０７は、受付装置１２０をネットワーク１５０に接続し、他の装置（例えば、サーバー装置１３０）との通信を司る。記憶部１３０２は、記憶媒体の一例である。変形例４の受付装置１２０は、一般的な健康保険被保険者証のカードでも、マイナンバーカードでも対応可能であるが、以下では説明の簡略化のため、ユーザーがマイナンバーカードを用いた場合を例に説明を行う。一般的な健康保険被保険者証のカードの場合は、変形例１と同様の処理となる。
【００３１】
変形例４の取得部４０１は、読み取り部１３０５を介してマイナンバーカードよりマイナンバーカードのユーザーを識別する識別情報を取得する。変形例４の表示制御部４０２は、取得部４０１によってユーザーの識別情報が取得されると、ユーザーによって連携が許可された外部サーバーよりユーザーの健康保険被保険者証のデータを取得する。表示制御部４０２は、取得された健康保険被保険者証のデータと、記憶部１００２等に記憶されている受付装置１２０が設置されている医療機関が健康診断に対応している保険者名称等のデータと、に基づき、受付装置１２０が設置されている医療機関が健康保険被保険者証の被保険者の健康診断に対応する医療機関か否かを判定する。受付装置１２０が設置されている医療機関とは、健康保険被保険者証のユーザーが健康診断に訪れた医療機関である。被保険者の健康診断に対応する医療機関であると判定した場合、表示制御部４０２は、出力部１３０６に健康診断を受けることができる旨等を表示する。また、表示制御部４０２は、医療機関の窓口のＰＣ等に健康保険被保険者証のデータ等を送信するようにしてもよい。被保険者の健康診断に対応する医療機関でないと判定した場合、表示制御部４０２は、受付装置１２０が設置されている医療機関から所定範囲内で被保険者の健康診断に対応している１以上の医療機関の情報を含む画面等を受付装置１２０の出力部１００５に出力する。
【００３２】
変形例４によれば、ＩＣカードとの無線通信に基づき外部サーバ等からＩＣカードの保有者の健康保険被保険者証に該当する情報を取得し、健康診断に訪れた人が、医療機関が対応している被用者保険の組合員であるか否かをすぐに確認し、対応することができる。
【００３３】
＜付記＞
発明は、次に記載の各態様で提供されてもよい。
前記情報処理装置において、前記第２の医療機関の情報には、前記第１の医療機関から前記第２の医療機関までの行き方に関する地図情報が含まれる、情報処理装置。
前記情報処理装置において、前記制御部は、前記情報処理装置の表示部に所定の画面を表示し、前記所定の画面には、領域が含まれ、前記領域に、前記健康保険被保険者証の画像データが移動される操作が行われたことに基づき、前記制御部は、前記画像データから前記健康保険被保険者証のデータを取得する、情報処理装置。
前記情報処理装置において、前記制御部は、前記被保険者の健康診断に対応する医療機関であると判定した場合、前記制御部は、取得した前記健康保険被保険者証のデータに基づき健康診断に関する画面を出力する、情報処理装置。
前記情報処理装置において、前記情報処理装置は、医療機関の受付装置である、情報処理装置。
情報処理装置であって、制御部を有し、前記制御部は、ＩＣカードとの通信に基づき前記ＩＣカードのユーザーの健康保険被保険者証に関するデータを取得し、取得した前記健康保険被保険者証に関するデータに基づき第１の医療機関が前記健康保険被保険者証の被保険者の健康診断に対応する医療機関か否かを判定し、前記第１の医療機関は、前記健康保険被保険者証のユーザーが健康診断に訪れた医療機関であり、前記被保険者の健康診断に対応する医療機関でないと判定した場合、前記第１の医療機関から所定範囲内で前記被保険者の健康診断に対応する第２の医療機関の情報を出力する、情報処理装置。
情報処理装置が実行する情報処理方法であって、健康保険被保険者証の画像データから前記健康保険被保険者証のデータを取得し、取得した前記健康保険被保険者証のデータに基づき第１の医療機関が前記健康保険被保険者証の被保険者の健康診断に対応する医療機関か否かを判定し、前記第１の医療機関は、前記健康保険被保険者証のユーザーが健康診断に訪れた医療機関であり、前記被保険者の健康診断に対応する医療機関でないと判定した場合、前記第１の医療機関から所定範囲内で前記被保険者の健康診断に対応する第２の医療機関の情報を出力する、情報処理方法。
情報処理装置が実行する情報処理方法であって、ＩＣカードとの通信に基づき前記ＩＣカードのユーザーの健康保険被保険者証に関するデータを取得し、取得した前記健康保険被保険者証に関するデータに基づき第１の医療機関が前記健康保険被保険者証の被保険者の健康診断に対応する医療機関か否かを判定し、前記第１の医療機関は、前記健康保険被保険者証のユーザーが健康診断に訪れた医療機関であり、前記被保険者の健康診断に対応する医療機関でないと判定した場合、前記第１の医療機関から所定範囲内で前記被保険者の健康診断に対応する第２の医療機関の情報を出力する、情報処理方法。
プログラムであって、コンピュータを、前記サーバー装置の制御部として機能させるためのプログラム。
もちろん、この限りではない。
【００３４】
例えば、上述のプログラムを記憶させる、コンピュータ読み取り可能な非一時的な記憶媒体として提供してもよい。
また、上述した実施形態及び変形例を任意に組み合わせて実施するようにしてもよい。
【００３５】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれると共に、特許請求の範囲に記載された発明とその均等の範囲に含まれるものである。
【符号の説明】
【００３６】
１００    ：サーバー装置
１１０    ：クライアント装置
１２０    ：受付装置
１３０    ：サーバー装置
１５０    ：ネットワーク
２０１    ：制御部
２０２    ：記憶部
２０３    ：通信部
３０１    ：制御部
３０２    ：記憶部
３０３    ：撮像部
３０４    ：入力部
３０５    ：出力部
３０６    ：通信部
４０１    ：取得部
４０２    ：表示制御部
６００    ：受付画面
６１０    ：画像データ
６２０    ：チェック領域
７００    ：画面
７１０    ：ボタン
８００    ：画面
１０００  ：情報処理システム
１００１  ：制御部
１００２  ：記憶部
１００３  ：撮像部
１００４  ：入力部
１００５  ：出力部
１００６  ：通信部
１１００  ：受付画面
１１１０  ：診察ボタン
１１２０  ：健康診断ボタン
１２００  ：画面
１３０１  ：制御部
１３０２  ：記憶部
１３０３  ：撮像部
１３０４  ：入力部
１３０５  ：読み取り部
１３０６  ：出力部
１３０７  ：通信部
【要約】本発明の一態様によれば、情報処理装置が提供される。この情報処理装置は、制御部を有する。制御部は、健康保険被保険者証の画像データから健康保険被保険者証のデータを取得する。取得した健康保険被保険者証のデータに基づき第１の医療機関が健康保険被保険者証の被保険者の健康診断に対応する医療機関か否かを判定する。第１の医療機関は、健康保険被保険者証のユーザーが健康診断に訪れた医療機関である。被保険者の健康診断に対応する医療機関でないと判定した場合、第１の医療機関から所定範囲内で被保険者の健康診断に対応する第２の医療機関の情報を出力する。
【選択図】図１【図１】
0006876353.tif 000002
【図２】
0006876353.tif 000003
【図３】
0006876353.tif 000004
【図４】
0006876353.tif 000005
【図５】
0006876353.tif 000006
【図６】
0006876353.tif 000007
【図７】
0006876353.tif 000008
【図８】
0006876353.tif 000009
【図９】
0006876353.tif 000010
【図１０】
0006876353.tif 000011
【図１１】
0006876353.tif 000012
【図１２】
0006876353.tif 000013
【図１３】
0006876353.tif 000014